(57)【要約】 【課題】投写画像の画素ずれを防止でき、投写画像の高画質化を図ることができる光学装置及びプロジェクタを提供すること。【解決手段】光学装置４４は、複数の光変調装置と色合成光学装置４４４とが一体的に設けられ、前記色合成光学装置４４４の各光束入射側端面には複数の透光性基板４４３Ａ１が接着剤により貼付され、当該複数の透光性基板４４３Ａ１の光束入射端面は、光束を通過可能とする平面矩形状の開口部４４８Ａ１を有し前記複数の光変調装置４４１をそれぞれ保持固定する複数の保持部材４４８に接着され、前記複数の保持部材４４８に形成されている開口部４４８Ａ１の四隅には、上下方向に延出する切り込み４４８Ｅが形成され、前記切り込み４４８Ｅの先端部分４４８Ｅ１が、保持部材４４８に接着される透光性基板４４３Ａ１の端縁より平面視で外側となるように構成されている。【選択図】図１２
2006106364.tif 000002
【特許請求の範囲】
【請求項１】
光源から射出された光束を画像情報に応じて変調する複数の光変調装置と、前記光変調装置で変調された各色光を合成する色合成光学装置とが一体的に設けられた光学装置であって、
前記色合成光学装置の各光束入射側端面には複数の透光性基板が接着剤により貼付され、
当該複数の透光性基板の光束入射端面は、光束を通過可能とする平面矩形状の開口部を有し前記複数の光変調装置をそれぞれ保持固定する複数の保持部材に接着され、
前記複数の保持部材に形成されている開口部の四隅には、上下方向に延出する切り込みが形成され、
前記切り込みの先端部分が、保持部材に接着される透光性基板の端縁より平面視で外側となることを特徴とする光学装置。
【請求項２】
請求項１に記載の光学装置において、
前記透光性基板と、保持部材の開口部の上面及び下面における前記切り込みに囲まれる部分とが接着剤により接着固定されていることを特徴とする光学装置。
【請求項３】
請求項１に記載の光学装置において、
前記透光性基板は水晶基板であり、
前記色合成光学装置の各光束入射側端面と前記複数の水晶基板間の前記接着剤の厚さが前記水晶基板の平面Ｚ軸垂直方向の寸法の１／８０００以上であり、かつ前記光変調装置を構成する光変調素子の画素ピッチ以下であることを特徴とする光学装置。
【請求項４】
請求項１ないし請求項３のいずれかに記載の光学装置において、
前記光変調装置は、光変調素子と当該光変調素子を保持固定する保持枠を備え、
前記複数の光変調装置と前記複数の保持部材の間に棒状部材を介装させることにより、両者が保持固定され、
前記色合成光学装置、前記透光性基板、前記保持部材はこの順に線膨張率が大きくなり、
前記光変調素子、前記保持枠はこの順に線膨張率が大きくなり、
前記棒状部材のヤング率が前記保持部材と前記保持枠のヤング率のいずれか小さい値の１／１０以下であることを特徴とする光学装置。
【請求項５】
請求項１ないし請求項４のいずれかに記載の光学装置において、
前記保持部材の開口部の光束入射端面周縁は面取り加工が施されていることを特徴とする光学装置。
【請求項６】
請求項１ないし請求項５のいずれかに記載の光学装置において、
前記保持部材の開口部周縁に、接着剤溜まりとなる切り欠きが形成されていることを特徴とする光学装置。
【請求項７】
請求項１ないし請求項６のいずれかに記載の光学装置において、
前記保持部材における前記透光性基板との接着面には、接着剤溜まりとなる凹部が形成されていることを特徴とする光学装置。
【請求項８】
請求項１ないし請求項７のいずれかに記載の光学装置において、
前記光変調装置が、光源から射出された光束のうち、赤、緑、青の色光に応じてそれぞれ設けられ、入射する当該色光を変調する３枚の光変調装置であり、
当該３枚の光変調装置のそれぞれが色合成光学装置の光束入射端面に配設され、
前記色合成光学装置の対向する各光束入射端面に貼付される各透光性基板における当該色合成光学装置の射出面に応じた端面には、遮光処理が施されていることを特徴とする光学装置。
【請求項９】
請求項８に記載の光学装置において、
前記色合成光学装置が、互いの直角面が貼り合わされた４つの直角プリズムで構成され、
前記色合成光学装置の射出面における前記直角プリズムの貼り合わされた端辺である段差面に遮光処理が施されていることを特徴とする光学装置。
【請求項１０】
光源から射出された光束を画像情報に応じて変調して光学像を形成し、前記光学像を投写光学装置により拡大投写するプロジェクタであって、
請求項１ないし請求項９のいずれかに記載の光学装置を備えていることを特徴とするプロジェクタ。
【請求項１１】
請求項１０に記載のプロジェクタにおいて、
前記光学装置は、前記光源の照明光軸に対して前記投写光学装置の投射領域の中心軸がずれたあおり方向を有し、
前記色合成光学装置の射出面における前記あおり方向の端辺には遮光処理が施されていることを特徴とするプロジェクタ。
【請求項１２】
請求項１０に記載のプロジェクタにおいて、
前記光学装置は、前記光源の照明光軸に対して前記投写光学装置の投射領域の中心軸がずれたあおり方向を有し、
前記色合成光学装置の射出面における前記あおり方向の端辺には面取り加工が施されていることを特徴とするプロジェクタ。
【請求項１３】
請求項１０ないし請求項１２のいずれかに記載のプロジェクタにおいて、
前記色合成光学装置のあおり方向に対応する面は、保持部材からの反射光を遮光する遮光装置が配設され、
当該遮光装置と前記色合成光学装置とは、光吸収性接着剤により接着されていることを特徴とするプロジェクタ。
【請求項１４】
請求項１ないし請求項１３のいずれかに記載のプロジェクタにおいて、
前記色合成光学装置のあおり方向に対応する面には遮光処理が施されていることを特徴とするプロジェクタ。
【発明の詳細な説明】
【技術分野】
【０００１】
本発明は、光源から射出された光束を画像情報に応じて変調する複数の光変調装置と、前記光変調装置で変調された各色光を合成する色合成光学装置とが一体的に設けられた光学装置、及びこの光学装置を備えたプロジェクタに関する。
【背景技術】
【０００２】
従来、会議、学会、展示会等でのプレゼンテーションや、家庭での映画鑑賞等にプロジ
ェクタが用いられている。このようなプロジェクタは、内部に光源と、この光源から射出
された光束を画像情報に変調する液晶パネル等の光変調装置と、入射される光束の光学変
換を行う複数の光学部品からなる光学装置を備え、この光学装置により光学像を形成して
拡大投写する。
【０００３】
このようなプロジェクタは、ダイクロイックミラー等の色分離光学系が、光源から射出された光束を三色の色光に分離し、液晶パネル等で構成される３枚の光変調装置は、色光毎に画像情報に応じて変調する。また、クロスダイクロイックプリズム等の色合成光学装置は、変調後の各色光を合成して光学像を形成しており、この形成された光学像を、投写レンズ等の投写光学装置によって拡大投射する、いわゆる三板式の構成を採用するものが広く知られている。
【０００４】
かかる三板式のプロジェクタでは、構造の簡素化及び組み立て工程の簡素化のため、３枚の光変調装置をクロスダイクロイックプリズムの光束入射側端面に取り付けた構成の光学装置が採用されている。このような構成の光学装置では、各液晶パネルの画素ずれにより生じる画質劣化を防止するため、色合成光学装置であるクロスダイクロイックプリズムの光束入射端面に、光変調装置である各液晶パネルの相対位置を調整しながら固定している。
【０００５】
一方、プロジェクタは、高輝度化および小型化が図られ、これに伴い、内部に配置された光学部品の効果的な冷却手段ないしは冷却方法が検討されてきた。特に、色合成光学装置の光束入射端面に配置される光学部品である偏光素子は、光源から射出された光束が集約して照射されるので発熱しやすく、かつ、熱に弱いため、光学像の形成を安定化させるには、偏光板等の光学部品を効率よく冷却する必要があった。
【０００６】
このため、光学装置を構成する色合成光学装置の各光束入射側端面には、水晶、サファイア等からなり、平面視で横長の略矩形状の熱伝導性に優れた透光性基板を、色合成光学装置や偏光板等と熱伝達可能に接続・配設するようにして、色合成光学装置等から発生される熱を放熱して、これらの冷却を効率よく実施するようにしていた（例えば、特許文献１〜特許文献３）。また、このような透光性基板は、アルミニウム合金等からなる、平面視が略矩形状の保持部材に接着剤により貼付されることにより、色合成光学装置の各光束入射側端面に対して固定されていた。
【０００７】
【特許文献１】特開２００３−１２１９３１号公報
【特許文献２】特開２００３−１２１９３７号公報
【特許文献３】特開２００３−２６２９１７号公報
【発明の開示】
【発明が解決しようとする課題】
【０００８】
しかしながら、透光性基板と保持部材を単に接着剤で貼付して、色合成光学装置の各光束入射側端面に対して固定する構成とした場合にあっては、色合成光学装置、透光性基板及び保持部材などの光学部品の線膨張率の差異があるため、温度上昇の際には光変調装置である液晶パネルが動いてしまい、各液晶パネルの相対位置がずれてしまうことによる画素ずれを生じてしまう問題があった。また、透光性基板と保持部材を従来通り接着して問題の無い場合においても、色合成光学装置と透光性基板の相対ずれに起因する各液晶パネルのずれが生じてしまう場合があった。
【０００９】
本発明の目的は、前記の課題に鑑みてなされたものであり、投写画像の画素ずれを防止でき、投写画像の高画質化を図ることができる光学装置及びプロジェクタを提供することにある。
【課題を解決するための手段】
【００１０】
本発明の光学装置は、光源から射出された光束を画像情報に応じて変調する複数の光変調装置と、前記光変調装置で変調された各色光を合成する色合成光学装置とが一体的に設けられた光学装置であって、前記色合成光学装置の各光束入射側端面には複数の透光性基板が接着剤により貼付され、当該複数の透光性基板の光束入射端面は、光束を通過可能とする平面矩形状の開口部を有し前記複数の光変調装置をそれぞれ保持固定する複数の保持部材に接着され、前記複数の保持部材に形成されている開口部の四隅には、上下方向に延出する切り込みが形成され、前記切り込みの先端部分が、保持部材に接着される透光性基板の端縁より平面視で外側となることを特徴とする。
【００１１】
ここで、透光性基板を構成する材料としては、熱伝導性材料である水晶、サファイア、石英、蛍石等が挙げられる。
また、この透光性基板と接着される保持部材は、アルミニウム、アルミニウム合金、鉄−ニッケル合金、マグネシウム合金、電気亜鉛メッキ鋼板等で構成されるようにしてもよいし、熱伝導率の高い合成樹脂を用いて射出成形等により成形される合成樹脂成形品からなるようにしてもよい。
【００１２】
本発明の光学装置は、色合成光学装置の各光束入射側端面に貼付された複数の透光性基板を接着により保持固定する保持部材に形成されている開口部の四隅には、上下に延出する切り込みが形成され、前記切り込みの先端部分が、保持部材に接着される透光性基板の端縁より平面視で外側となる構成を採用している。
従って、保持部材の四隅に形成された切り込みにより、高温時における保持部材の変形を緩和して、接続された光変調装置が動いてしまうことによる画素ずれを防止することができる。
【００１３】
また、保持部材の四隅に形成された切り込みの先端部分が、保持部材に接着される透光性基板の端縁より平面視で外側となるようにしていることにより、接着面積を一定に管理でき、接着剤の左右方向への飛び出し、回り込みを防止することができる。これにより、温度変化時における両部材間に生じる熱歪み、熱応力を一定に抑えることができる。
【００１４】
本発明の光学装置は、前記透光性基板と、保持部材の開口部の上面及び下面における前記切り込みに囲まれる部分とが接着剤により接着固定されていることが好ましい。
この本発明によれば、透光性基板と保持部材とを接着するに際し、透光性基板と保持部材の開口部の上面及び下面の２面と、透光性基板を接着剤を介在させて固定するようにしているので、透光性基板の全周を接着するのと比較して接着面積が小さくなり、温度変化時における接着剤自体の変形の影響を最小限に抑えることができ、熱歪み、熱応力を一定に抑えることができるので、接続される光変調装置の位置ずれ量を低減することができる。
【００１５】
本発明の光学装置は、前記透光性基板は水晶基板であり、前記色合成光学装置の各光束入射側端面と前記複数の水晶基板間の前記接着剤の厚さが前記水晶基板の平面Ｚ軸垂直方向（水晶基板のＺ軸に垂直でかつ水晶基板の平面に平行な方向）の寸法の１／８０００以上であり、かつ前記光変調装置を構成する光変調素子の画素ピッチ以下であることが好ましい。
この本発明によれば、前記色合成光学装置と各光束入射側端面の透光性基板との間に介在される接着剤の厚さを特定の範囲とするので、温度変化時に両者の線膨張率の差異から生じる色合成光学装置あるいは透光性基板の割れ、剥離の発生を防止するとともに、投影時の目視において光変調素子の変位量を違和感の生じない品質の画素ズレの量に抑えることが可能となり、前記した効果を好適に奏することができる。なお、ここでいう目視で違和感の生じない品質の画素ズレの量とは、一般に、１／４画素以内をいう。
【００１６】
本発明の光学装置は、前記光変調装置は、光変調素子と当該光変調素子を保持固定する保持枠を備え、前記複数の光変調装置と前記複数の保持部材の間に棒状部材を介装させることにより、両者が保持固定され、前記色合成光学装置、前記透光性基板、前記保持部材はこの順に線膨張率が大きくなり、前記光変調素子、前記保持枠はこの順に線膨張率が大きくなり、前記棒状部材のヤング率が前記保持部材と前記保持枠のヤング率のいずれか小さい値の１／１０以下であることが好ましい。
この本発明によれば、光学装置を構成する光学部品である色合成光学装置、透光性基板、保持部材はこの順に線膨張率が大きくなり、光変調素子、前記保持枠はこの順に線膨張率が大きくなるような構成としているので、配列される光学部品の相互で当該部品の熱変形がバランス良く吸収され、光変調装置の位置ずれによる各色光の画素ずれをより一層効率的に防止することができる。また、光変調装置と保持部材の間に介装される棒状部材のヤング率が前記保持部材と前記保持枠のヤング率のいずれか小さい値の１／１０以下としているため、高温による棒状部材の熱変形も起こりにくくなる。
【００１７】
本発明の光学装置は、前記保持部材の開口部の光束入射端面周縁は面取り加工が施されていることが好ましい。
この本発明によれば、開口部の光束入射端面の周縁に面取り加工を施した保持部材を使用することにより、接着剤が当該開口部に付着することを低減することができる。これにより、保持部材の開口部に接着剤が付着することによる光の反射や漏れを効率的に抑えることができる。
【００１８】
本発明の光学装置は、前記保持部材の開口部周縁に、接着剤溜まりとなる切り欠きが形成されていることが好ましい。
この本発明によれば、保持部材の開口部に接着剤溜まりの切り欠きを設けることにより、過剰の接着剤はかかる切り欠きに収められることとなり、接着剤量の管理を容易にする。また、保持部材の開口部に接着剤が付着することによる光の反射や漏れを効率的に抑えるといった効果をより好適に発揮することができる。
【００１９】
本発明の光学装置は、前記保持部材における前記透光性基板との接着面には、接着剤溜まりとなる凹部が形成されていることが好ましい。
この本発明によれば、保持部材の接着面には接着剤溜まりとなる凹部を設けることにより、過剰の接着剤はかかる凹部に収められることとなり、接着剤量の管理を容易にする。また、保持部材の開口部に接着剤が付着することによる光の反射や漏れを効率的に抑えるといった効果をより好適に発揮することができる。
【００２０】
本発明の光学装置は、前記光変調装置が、光源から射出された光束のうち、赤、緑、青の色光に応じてそれぞれ設けられ、入射する当該色光を変調する３枚の光変調装置であり、
当該３枚の光変調装置のそれぞれが色合成光学装置の光束入射端面に配設され、前記色合成光学装置の対向する各光束入射端面に貼付される各透光性基板における当該色合成光学装置の射出面に応じた端面には、遮光処理が施されていることが好ましい。
この本発明によれば、光学装置が、いわゆる三板式の光学装置であって、当該光学装置に搭載される透光性基板における色合成光学装置に射出面に応じた端面に対して遮光処理を施すことにより、当該端面からの不要光の漏れを防止することができ、投写画像の高画質化を図ることができる。
【００２１】
本発明の光学装置は、前記色合成光学装置が、互いの直角面が貼り合わされた４つの直角プリズムで構成され、前記色合成光学装置の射出面における前記直角プリズムの貼り合わされた端辺である段差面に遮光処理が施されていることが好ましい。
この本発明によれば、色合成光学装置の射出面における前記直角プリズムの貼り合わされた端辺である段差面に遮光処理が施されているため、反射した光がこの段差面から直接投写光学装置に入って投影光として射出して投写光の画質劣化が起こることを好適に防止することができる。また、反射した光がこの段差面から光変調装置に取り込まれて、投写光の画質劣化が起こることを好適に防止することができる。
【００２２】
本発明のプロジェクタは、光源から射出された光束を画像情報に応じて変調して光学像を形成し、前記光学像を投写光学装置により拡大投写するプロジェクタであって、前記した光学装置を備えていることを特徴とする。
【００２３】
本発明によれば、前述の光学装置と略同じ効果を奏することができる。すなわち、前記した本発明の光学装置を備えているので、各色光の相対的な画素ずれを防止できるとともに、光学装置内部における光学部品の反射や導光を原因とした投写画像への漏れ光の発生を抑制することができ、投写画像の高画質化を図ることができるプロジェクタを好適に提供可能とする。
【００２４】
本発明のプロジェクタは、前記光学装置は、前記光源の照明光軸に対して前記投写光学装置の投射領域の中心軸がずれたあおり方向を有し、前記色合成光学装置の射出面における前記あおり方向の端辺には遮光処理が施されているようにしてもよく、あるいは、当該あおり方向の端辺は遮光処理が施されているようにしてもよい。
投写方向のあおり方向となる色合成光学装置の射出面の端辺は、色合成光学装置内部で反射された光が漏れてしまうことがある一方、この本発明によれば、色合成光学装置の射出面の端辺に対して面取り加工や遮光処理を施すことにより、投写光学装置により拡大投写した光が反射して、端辺から色合成光学装置に取り込まれて再度投写光学装置から投写されることがなくなり、これによる画質劣化を好適に防止することができる。
【００２５】
本発明のプロジェクタは、前記色合成光学装置のあおり方向に対応する面は、保持部材からの反射光を遮光する遮光装置が配設され、当該遮光装置と前記色合成光学装置とは、光吸収性接着剤により接着されていることが好ましい。
この本発明によれば、色合成光学装置の上面に遮光装置を配設することにより、色合成光学装置の上面における漏れ光を防止することができるとともに、この遮光装置と色合成光学装置の上面とは光吸収性接着剤により接着されていることにより、この遮光装置の接着部となる底面に向かう光を吸収することができ、接着剤自体が反射して発光してしまうことを防止することができる。また、色合成光学装置の天面での反射や遮光装置が照らされて発光してしまうことを防止することができる。
【００２６】
本発明のプロジェクタは、前記色合成光学装置のあおり方向に対応する面には遮光処理が施されていることが好ましい。
この本発明によれば、色合成光学装置のあおり方向に対応する面には遮光処理が施されているため、色合成光学装置の天面での反射や投写光学装置からの反射光を吸収でき、あおり方向からの漏れ光の射出を防止することができ、投写画像の高画質化を図ることができる。
【発明を実施するための最良の形態】
【００２７】
［第１実施形態］
以下、本発明の第１実施形態を図面に基づいて説明する。
【００２８】
（Ｉ）プロジェクタの外観構成：
図１および図２には、本発明の第１実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学系を含む装置本体を内部に収納する外装ケース２および外装ケース２から露出する投写レンズ３を備えている。
【００２９】
投写レンズ３は、後述する光変調装置としての液晶パネルにより光源から射出された光束を画像情報に応じて変調形成された光学像を拡大投写する投写光学系としての機能を具備するものであり、筒状体内部に複数のレンズが収納された組レンズとして構成される。
【００３０】
筐体としての外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
【００３１】
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含む複数のスイッチを備え、プロジェクタ１による投写時には、操作パネル２４中の調整スイッチ等を操作することにより、画質・音量等の調整を行うことができる。  
【００３２】
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
【００３３】
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
【００３４】
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。
これにより、プロジェクタ１から射出された投写画像の上下位置を調整し、適切な位置に投写画像を形成することができるようになる。
【００３５】
また、底面部２２Ａには、外装ケース２の内部と連通する開口部２８、２９、３０が形成されている。
開口部２８は、プロジェクタ１の光源を含む光源装置を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置を冷却するための冷却空気取込用の吸気用開口部である。
【００３６】
開口部３０は、プロジェクタ１の装置本体を構成する電源ユニット、光源駆動回路を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。
【００３７】
さらに、底面部２２Ａには、底面部２２Ａに対して外側にスライド自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面及び背面に設けられる受光部３１１を介して制御基板で処理される。
【００３８】
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
【００３９】
フロントケース２３は、前面部２３Ａおよび上面部２３Ｂを備えて構成され、上面部２３Ｂの投写方向後端側で前述したアッパーケース２１およびロアーケース２２の投写方向先端部分と係合する。
前面部２３Ａには、投写レンズ３を露出させるための略円形状の開口部３４、およびその隣に形成された複数のスリットから構成される開口部３５が形成されている。
【００４０】
開口部３４は、その上面側がさらに開口され、投写レンズ３の鏡筒の一部が露出していて、鏡筒周囲に設けられたズーム・フォーカス調整用のつまみ３Ａ、３Ｂを外部から操作することができるようになっている。
開口部３５は、装置本体を冷却した空気を排出する排気用開口部として構成され、後述するプロジェクタ１の構成部材である光学系、制御系、および電源ユニット・ランプ駆動ユニットを冷却した空気は、この開口部３５からプロジェクタ１の投写方向に排出される。
【００４１】
（II）光学系の構成：
図５には本実施形態のプロジェクタ１の光学系の模式図を示す。プロジェクタ１は、インテグレータ照明光学系４１と、色分離光学系４２と、リレー光学系４３と、光変調光学装置および色合成光学装置を一体化した光学装置４４と、投写光学装置としての投写レンズ３とを備えているものである。
【００４２】
光学系としての光学ユニット４は、光源装置から射出された光束を画像情報に応じて変調して光学像を形成し、投写レンズ３を介してスクリーン上に投写画像を形成するものであり、図４に示される光学部品用筐体４０という光学部品用筐体内に、光源装置や、種々の光学部品等を組み込んだものとして構成される。
この光学部品用筐体４０は、部品収納部材４０１、および図４では図示を略した蓋状部材から構成され、それぞれは、射出成形等による合成樹脂製品である。
【００４３】
部品収納部材４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、光学部品用筐体４０内に設定された照明光軸上に精度よく配置される。蓋状部材は、この部品収納部材４０１に応じた平面形状を有し、部品収納部材４０１の上面を塞ぐ。
また、部品収納部材４０１の底面部４０１Ａの光束射出側端部には、円形状の開口部が形成された前面壁が設けられていて、この前面壁には、投写レンズ３の基端部分が接合固定される。
【００４４】
このような光学部品用筐体４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、光学部品用筐体４０内で光源から射出された白色光を三色の色光に分離する空間色分離型の光学ユニットとして構成されている。
【００４５】
インテグレータ照明光学系４１は、光源から射出された光束を照明光軸直交面内における照度を均一にするための光学系であり、光源装置４１１、第１レンズアレイ４１２、第２レンズアレイ４１３、偏光変換素子４１４、および重畳レンズ４１５を備えて構成される。
【００４６】
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００４７】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する光変調装置４４１の画像形成領域の形状とほぼ相似形をなすように設定される。
【００４８】
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光変調装置４４１上に結像させる機能を有する。
【００４９】
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の光変調装置４４１上にほぼ重畳される。偏光光を変調するタイプの光変調装置４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４における光の利用効率を高めている。なお。このような偏光変換素子４１４は、例えば、特開平８−３０４７３９号公報に紹介されている。
【００５０】
色分離光学系４２は、２枚のダイクロイックミラー４２１、４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００５１】
リレー光学系４３は、入射側レンズ４３１と、リレーレンズ４３３と、反射ミラー４３２、４３４とを備え、色分離光学系４２で分離された色光である赤色光を光変調装置４４１Ｒまで導く機能を有している。
【００５２】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の光変調装置４４１Ｂに到達する。このフィールドレンズ４１８は、第２レンズアレイ４１３から射出された各部分光束をその中心軸（主光線）に対して平行な光束に変換する平行化レンズである。他の光変調装置４４１Ｇ、４４１Ｒの光入射側に設けられたフィールドレンズ４１８も同様である。
【００５３】
また、ダイクロイックミラー４２１を透過した赤色光と緑色光のうちで、緑色光は、ダイクロイックミラー４２２によって反射し、フィールドレンズ４１８を通って、緑色用の光変調装置４４１Ｇに到達する。一方、赤色光は、ダイクロイックミラー４２２を透過してリレー光学系４３を通り、さらにフィールドレンズ４１８を通って、赤色光用の光変調装置４４１Ｒに到達する。
【００５４】
なお、赤色光にリレー光学系４３が用いられているのは、赤色光の光路の長さが他の色光の光路長さよりも長いため、光の発散等による光の利用効率の低下を防止するためである。
すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００５５】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置４４１Ｒ，４４１Ｇ，４４１Ｂと、各光変調装置４４１Ｒ、４４１Ｇ、４４１Ｂの後段に配置される射出側偏光板４４３と、色合成光学系としてのクロスダイクロイックプリズム４４４とを備える。
【００５６】
光変調装置４４１Ｒ、４４１Ｇ、４４１Ｂは、光変調素子となる液晶パネル４４１Ｒ１，４４１Ｇ１，４４１Ｂ１を備えている。この液晶パネル４４１Ｒ１，４４１Ｇ１，４４１Ｂ１は、例えば、ポリシリコンＴＦＴをスイッチング素子として用いたものであり、図５では図示を略したが、対向配置される一対の透明基板内に液晶が密封封入されたパネル本体を、保持枠４４７Ａ，４４７Ｂ（図８参照）内に収納されている。
【００５７】
光学装置４４において、色分離光学系４２で分離された各色光は、これら３つの光変調装置４４１Ｒ、４４１Ｇ、４４１Ｂ、入射側偏光板４４２、および射出側偏光板４４３によって画像情報に応じて変調されて光学像を形成する。
【００５８】
入射側偏光板４４２は、色分離光学系４２で分離された各色光のうち、一定方向の偏光光のみ透過させ、その他の光束を吸収するものであり、水晶やサファイアガラス等の基板に偏光膜が貼付されたものである。また、基板を用いずに、偏光膜をフィールドレンズ４１８に貼り付ける構成としてもよい。
【００５９】
射出側偏光板４４３は、第１射出側偏光板４４３Ｂ及び第２射出側偏光板４４３Ａから構成されている。
まず、第１射出側偏光板４４３Ｂは、前述の入射側偏光板４４２と略同様の機能を有し、光変調装置４４１（４４１Ｒ，４４１Ｇ，４４１Ｂ）から射出された光束のうち、所定方向の偏光光のみを透過させ、その他の光束を吸収するとともに、光変調装置４４１（４４１Ｒ，４４１Ｇ，４４１Ｂ）から射出された光束の視野角を拡大する。
【００６０】
この第１射出側偏光板４４３Ｂは、詳しくは後記するが、水晶、サファイアガラス、石英、または蛍石等で形成される透光性基板４４３Ｂ１（図８参照）と、この透光性基板４４３Ｂ１（以下、単に「基板４４３Ｂ１」とする場合もある）の光束射出側端面に貼り付けられる偏光膜４４３Ｂ２（第１射出側偏光素子）（図８参照）と、基板４４３Ｂ１の光束入射側端面に貼り付けられる視野角補償膜４４３Ｂ３（図８参照）とを備えている。
【００６１】
第２射出側偏光板４４３Ａは、詳しくは後記するが、第１射出側偏光板４４３Ａと同様に、入射された光束のうち、所定方向の偏光光のみを透過させ、その他の光束を吸収するものである。  この第２射出側偏光板４４３Ａに透過させる偏光光の偏光軸は、偏光板４４２における透過させる偏光光の偏光軸に対して直交するように設定されている。
【００６２】
このような第２射出側偏光板４４３Ａは、これも詳しくは後記するが、水晶、サファイアガラス、石英、または蛍石等で形成される透光性基板４４３Ａ１（図８参照）と、偏光軸が所定方向とされた状態で、この透光性基板４４３Ａ１（以下、単に「基板４４３Ａ１」とする場合もある）の光束入射側端面に貼り付けられる偏光膜４４３Ａ２（第２射出側偏光素子）（図８参照）とを備えている。
【００６３】
なお、このように射出側偏光板４４３を２枚として構成すれば、入射する偏光光を、第１射出側偏光板４４３Ｂ、第２射出側偏光板４４３Ａのそれぞれで按分させて吸収させることにより、偏光光で発生する熱を両偏光板４４３Ａ，４４３Ｂで按分させ、それぞれの過熱を抑えることができる。
【００６４】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００６５】
そして、このような光学装置４４は、ユニットとして構成され、前述した光学部品用筐体４０の投写レンズ３の光路前段に配置され、部品収納部材４０１の底面部にねじ止め固定される。
【００６６】
（III）制御基板５の構造
制御基板５は、図３に示すように、光学ユニット４の上側を覆うように配置され、演算処理装置、液晶パネル駆動用ＩＣが実装されたメイン基板５１と、このメイン基板５１の後端側で接続され、外装ケース２の背面部２１Ｄ、２２Ｄに起立するインターフェース基板５２とを備えている。
【００６７】
インターフェース基板５２の背面側には、前述したコネクタ群２５が実装されていて、コネクタ群２５から入力する画像情報は、このインターフェース基板５２を介してメイン基板５１に出力される。
【００６８】
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して光変調装置４４１Ｒ，４４１Ｇ，４４１Ｂの液晶パネル４４１Ｒ１，４４１Ｇ１，４４１Ｂ１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
【００６９】
（IV）電源ブロック６の構造：
電源ブロック６は、図示を略すが、電源と、この電源の下方に配置されたランプ駆動回路（バラスト）とを含んで構成される。
電源は、前記インレットコネクタに接続された図示しない電源ケーブルを通して外部から供給された電力を、前記ランプ駆動回路や制御基板５等に供給するものである。
ランプ駆動回路は、光学ユニット４を構成する光源ランプ４１６に、電源から供給された電力を供給するものであり、前記光源ランプと電気的に接続されている。このようなランプ駆動回路は、例えば、基板に配線することにより構成できる。
【００７０】
（Ｖ）冷却ユニット７の構造：
図３および図４に示すように、冷却手段としての冷却ユニット７は、投写レンズ３を挟んでそれぞれ対向配置される２つのシロッコファン７１，７２と、ダクト７３および図示しない導風板とから構成されている。
【００７１】
シロッコファン７１は、ロアーケース２２の側面部２２Ｃ側に配置され、シロッコファン７２は、投写レンズ３を挟んで、ロアーケース２２の前方側略中央に配置されている。これらシロッコファン７１，７２は、開口部２９を介して吸入したプロジェクタ１外部の空気を、光学装置４４の下方に配置されたダクト７３および導風板７４に送風して、光学装置４４を下方から冷却する。
【００７２】
（VI）光学装置４４の構造：
図６および図７には、光学装置４４の斜視図が示されている。詳述すると、図６には、光変調装置４４１Ｂを上方から左手に見た光学装置４４の斜視図が示されており、また、図７には、光変調装置４４１Ｂを下方から右手に見た光学装置４４の斜視図が示されている。なお、図６及び図７では、投写レンズ３も示されており、図６ではこの投写レンズ３を２点鎖線で示している。
【００７３】
また、図８は、光学装置４４の分解斜視図を示している。なお、図８では、説明を簡略化するために、赤色光が入射する光束入射面の構成のみを示し、他の光束入射面については説明および図示を省略するが、緑色光が入射する光束入射面および青色光が入射する光束入射面においても略同様の構成を備えている。
【００７４】
光学装置４４は、図６ないし図８に示すように、クロスダイクロイックプリズム４４４を中心として、該クロスダイクロイックプリズム４４４の光束入射面である３面に、光変調装置４４１Ｒ，４４１Ｇ，４４１Ｂと、射出側偏光板４４３（図６および図７では図示を省略）とが取り付けられている。
【００７５】
また、クロスダイクロイックプリズム４４４は、プリズム台座４４５に載置され、クロスダイクロイックプリズム４４４の上面には、放熱ブロック４４６が載置されている。このように、光学装置４４は、これらを含めたユニットとして構成されている。
【００７６】
以下、光学装置４４の構造を図８ないし図１２に基づいて説明する。なお、これら図８
ないし図１０中に示した矢印Ｘ，Ｙ，Ｚは、それぞれ同一方向を示している。具体的には、
Ｚ軸方向は照明光軸方向を示し、Ｘ軸方向は幅方向を示し、Ｙ軸方向は高さ方向を示して
いる。
【００７７】
なお、図８中、プリズム台座４４５は、前述のように、クロスダイクロイックプリズム４４４を支持するとともに、投写レンズ３を支持する部材である。この図８に示すように、プリズム台座４４５は、幅方向（Ｘ軸方向）から見て略Ｌ字状に形成されている。
【００７８】
また、プリズム台座４４５には、クロスダイクロイックプリズム４４４が載置される載置部４４５１と、投写レンズ３を支持するレンズ支持部４４５２とが形成されている。
このようなプリズム台座４４５により、クロスダイクロイックプリズム４４４および第１射出側偏光板４４３Ｂで発生して熱が伝導されて放熱されるほか、保持部材４４８およびピンスペーサ４４９を介して、第２射出側偏光板４４３Ａおよび光変調装置４４１Ｒ（４４１Ｇ，４４１Ｂ）の熱が伝導されて放熱されるので、これらの光学部品の熱を効率よく冷却することができる。
【００７９】
図８に示すように、クロスダイクロイックプリズム４４４の赤色光入射面には、クロスダイクロイックプリズム４４４に近接する方から順に、偏光膜４４３Ａ２（第２射出側光学素子）と透光性基板４４３Ａ１とからなる第２射出側偏光板４４３Ａと、熱伝導性の保持部材４４８と、偏光膜４４３Ｂ２（第１射出側光学素子）、透光性基板４４３Ｂ１及び視野角補償素子である視野角補償膜４４３Ｂ３とからなる第１射出側偏光板４４３Ｂと、光変調装置４４１Ｒが配置されている。
【００８０】
このうち、第２射出側偏光板４４３Ａは、まず、クロスダイクロイックプリズム４４４の光束入射面に、該第２射出側偏光板４４３Ａの透光性基板４４３Ａ１（水晶基板）の光束射出側端面を対向させて、紫外線硬化性接着剤等により接着固定される。
【００８１】
なお、図８におけるクロスダイクロイックプリズム４４４の対向する各光束入射端面に貼付される透光性基板４４３Ａ１におけるこのクロスダイクロイックプリズム４４４の射出面に応じた端面４４３Ａ１Ａには、遮光処理が施されている。ここで、当該端面を黒色塗料で塗布することが挙げられ、艶消し黒色塗装や黒色のテープ、板材料等によるマスキングを施すようにすればよい。
このように、透光性基板４４３Ａ１におけるこのクロスダイクロイックプリズム４４４の射出面に応じた端面４４３Ａ１Ａに対して遮光処理を施すようにすれば、投写光学装置である投写レンズ３により拡大投写した光が反射して、当該端面４４３Ａ１Ａからクロスダイクロイックプリズム４４４に取り込まれて再度投写レンズ３から投写されることがなくなり、これによる画質劣化を好適に防止することができる。また、クロスダイクロイックプリズム４４４の射出面に相対する光変調装置（この場合光変調装置４４１Ｇ）から射出される不要光(緑光)を投写光学装置（投射レンズ３）に侵入するのを防止できる。
【００８２】
また、透光性基板４４３Ａ１の光束入射側端面には、偏光膜４４３Ａ２（第２射出側光学素子）を貼付して、第２射出側偏光板４４３Ａを構成する。なお、本実施形態にあっては、この第２射出側偏光板４４３Ａの外形寸法は、クロスダイクロイックプリズム４４４の光束入射面の寸法と略同一に形成されている。
【００８３】
更には、第２射出側偏光板４４３Ａは、偏光膜４４３Ａ２を貼付した光束入射側端面を、後記する保持部材４４８のＺ軸方向と対向する面（取付面４４８Ｄ）と接着剤により貼り合わされ、この保持部材４４８に形成された開口部４４８Ａ１（図９及び図１０参照）から偏光膜４４３Ａ２を露出するようにする。
【００８４】
図９及び図１０には、これら第１射出側偏光板４４３Ｂ及び第２射出側偏光板４４３Ａを接着剤により接着して保持固定する保持部材４４８の斜視図が示されている。
ここで、図９は、第２射出側偏光板４４３Ａと接する取付面４４８Ｄを上にした状態を示し、また、図１０は、図９と反対側の面（第１射出側偏光板と接する面）を上にした状態をそれぞれ示す。
この保持部材４４８は、図８〜図１０に示すように、照明光軸方向（Ｚ軸方向）から見て略矩形を有し、アルミニウム等の金属平板を板金加工して形成されている。
【００８５】
この熱伝導性の保持部材４４８は、図９及び図１０に示すように、略矩形の板状部４４８Ａと、この板状部４４８Ａの幅方向（Ｘ軸方向）両端部から面外方向に、それぞれが対向するように起立した側面部４４８Ｂと、これら側面部４４８Ｂの高さ方向（Ｙ軸方向）両端から、保持部材４４８の略中央に向かって略垂直に延出する延出部４４８Ｃとを備える。
【００８６】
また、板状部４４８Ａの略中央には、略矩形の開口部４４８Ａ１が形成されている。この開口部４４８Ａ１の寸法は、前記した第２射出側偏光板４４３Ａの基板４４３Ａ１の外形寸法より小さく形成されている。
【００８７】
図９に示すように、第２射出側偏光板４４３Ａと接する取付面４４８Ｄを上にした状態にあっては、板状部４４８Ａに形成された略矩形の開口部４４８Ａ１の四隅には、開口部４４８Ａ１の上下方向（図９及び図１０のＹ軸方向、及びＹ軸の反対方向）に延出する切り込み４４８Ｅが形成されており、この切り込み４４８Ｅは、開口部４４８Ａ１と連接している。
【００８８】
また、第２射出側偏光板４４３Ａ（透光性基板４４３Ａ１）は、取付面４４８Ｄにおいて、図９の２点鎖線の位置に搭載され、切り込み４４８Ｅにより囲まれる２つの部分を接着部４４８Ｆとして、保持部材４４８に接着固定される。ここで、第２射出側偏光板４４３Ａと保持部材４４８とを接着する接着剤としては、例えば、アクリル系紫外線硬化型接着剤等を使用することができる。
【００８９】
また、第２射出側偏光板４４３Ａ（透光性基板４４３Ａ１）を保持部材４４８に接着する場合にあっては、保持部材４４８の開口部４４８Ａ１の四隅に形成されている切り込み４４８Ｅの先端部分４４８Ｅ１は、保持部材４４８に接着される第２射出側偏光板４４３Ａ（透光性基板４４３Ａ１）の端縁より平面視で外側となるようにされている。このように切り込み４４８Ｅの先端部分４４８Ｅ１が、保持部材４４８に接着される第２射出側偏光板４４３Ａ（透光性基板４４３Ａ１）の端縁より平面視で外側となるので接着剤の飛び出し、横方向への回り込みを防止することができる。
ここで、切り込み４４８Ｅの先端部分４４８Ｅ１が、第２射出側偏光板４４３Ａ（透光性基板４４３Ａ１）の端円より外側に飛び出している長さとしては、概ね、０．５〜２ｍｍ程度とすればよい。
【００９０】
図９に示すように、接着部４４８Ｆとなる切り込み４４８Ｅに囲まれた部分には、複数の凹部４４８Ｇが形成されている。この凹部４４８Ｇは、塗布される接着剤の接着剤溜まりとなり、過剰に塗布された接着剤はこの凹部４４８Ｇに収められるため、保持部材４４８の開口部４４８Ａ１に接着剤が付着することによる光の反射や漏れを抑制することができる。この凹部４４８Ｇの形状は、半球状、矩形状、逆三角形状等の種々の形状とすることができ、また、図９では、凹部４４８Ｇを各接着部に４つ形成した例を示しているが、
これには限定されず、凹部４４８Ｇの数は任意に決定することができる。
【００９１】
同様に、保持部材４４８の開口部４４８Ａ１の周縁には、接着剤溜まりとなる切り欠き４４８Ｈが形成されている。この切り欠き４４８Ｈは、保持部材４４８に開口部４４８Ａ１を形成する際に同時に形成するようにしてもよいし、保持部材４４８に開口部４４８Ａ１を形成した後、別工程で形成するようにしてもよい。また、この切り欠き４４８Ｈの形状は、図９では半円状を示しているが、これには限定されず、矩形状、三角形状等の任意の形状を採用できる。
このように、保持部材４４８の開口部４４８Ａ１の周縁に接着剤溜まりの切り欠き４４８Ｈを設けることにより、過剰の接着剤はかかる切り欠きに収められることとなり、接着剤の管理が容易になり、保持部材４４８の開口部４４８Ａ１に接着剤が付着することによる光の反射や漏れを効率的に抑えることができる。
【００９２】
また、保持部材４４８の開口部４４８Ａ１の光束入射端面周縁は、面取り加工が施されて面取り部４４８Ｉが形成されている。この面取り加工により、接着剤が開口部に付着することを低減することができ、保持部材４４８の開口部４４８Ａ１に接着剤が付着することによる光の反射や漏れを効率的に抑えることができる。面取り加工における面取り部４４８Ｉの面取り長さは、板厚（肉厚）方向の面取りの無い部分が０．５ｍｍ以下となるような寸法としておけばよい。
【００９３】
また、図１１は、色合成光学装置であるクロスダイクロイックプリズム４４４の光束入射側の面に、透光性基板４４３Ａ１と偏光膜４４３Ａ２（第２射出側偏光素子４４３Ａ２）からなる第２射出側偏光板４４３Ａの光束射出側の面を貼付して、かつ、この第２射出側偏光板４４３Ａの光束入射面に、保持部材４４８の取付面４４８Ｄを接着剤により固定した状態を示した斜視図である。図１２は、第２射出側偏光板４４３Ａを構成する透光性基板４４３Ａ１と保持部材４４８との接着状態を示した部分断面図である。
【００９４】
図１１及び図１２に示すように、水晶基板である透光性基板４４３Ａ１と保持部材４４８との間には両者を接着するための接着剤が介在され接着部４４８Ｘを形成するが、この介在される接着剤の厚さは、光変調素子である液晶パネル４４１Ｒの画素ピッチの大きさに応じて適宜決定することが好ましい。
具体的には、接着剤の厚さは水晶基板である透光性基板４４３Ａ１の平面Ｚ軸垂直方向寸法（水晶基板のＺ軸に垂直でかつ水晶基板の平面に平行な方向の寸法：一般に長辺方向寸法）の１／８０００以上、かつ液晶パネル４４１Ｒの画素ピッチ以下の範囲内とすることが特に好ましく、接着剤の厚さをかかる範囲内とすれば、透光性基板４４３Ａ１と保持部材４４８とを接着固定するための必要な接着強度を維持できるとともに、温度変化時に両者の線膨張率の差異から生じるクロスダイクロイックプリズム４４４（色合成光学装置）あるいは透光性基板４４３Ａ１（水晶基板の割れ、剥離の発生を防止するとともに、投影時の目視において光変調素子の変位量を違和感の生じない品質の画素ズレの量に抑えることが可能となる。
【００９５】
図９及び図１０に戻って、保持部材４４８の板状部４４８Ａの高さ方向両端部は、貼付部４４８Ａ２，４４８Ａ４が形成されている。これら貼付部４４８Ａ２の上端および貼付部４４８Ａ４の下端の略中央には、開口部４４８Ａ１に向けて、熱間挙動差吸収用の切り欠き４４８Ａ３，４４８Ａ５が形成されている。
【００９６】
側面部４４８Ｂには、それぞれの側面部４４８Ｂが対向する面に、平面視略矩形の突出部４４８Ｂ１が２つずつ形成されている。この突出部４４８Ｂ１は、高さ方向における両端から延出して形成された延出部４４８Ｃよりも中心よりに形成されている。この突出部４４８Ｂ１の光束入射側の面には、延出部４４８Ｃに取り付けられる第１射出側偏光板４４３Ｂの光束射出側の面が当接される。これにより、保持部材４４８における第１射出側偏光板４４３Ｂの照明光軸方向（Ｚ軸方向）の位置決めがされる。尚、第１射出側偏光板４４３Ｂの光束入射側の面と、延出部４４８Ｃの光束入射側の面４４８Ｃ２は、同一平面となるように構成されている。
【００９７】
延出部４４８Ｃは、照明光軸方向から保持部材４４８を見た場合の四隅部分にそれぞれ形成されている。
これら延出部４４８Ｃに形成された面のうち、高さ方向（Ｙ軸方向）で互いに対向する面は、第１射出側偏光板４４３Ｂの基板４４３Ｂ１が取り付けられる基板取付面４４８Ｃ１である。この基板取付面４４８Ｃ１には、第１射出側偏光板４４３Ｂの基板４４３Ｂ１（図８）の高さ方向端部から起立する面が、熱伝導可能に接着固定される。ここで、板状部４４８Ａに貼り合わされた第２射出側偏光板４４３Ａにおける偏光膜４４３Ａ２の偏光軸と、延出部４４８Ｃの基板取付面４４８Ｃ１に嵌合された第１射出側偏光板４４３Ｂにおける偏光膜４４３Ｂ２の偏光軸とが平行となるように、第１射出側偏光板４４３Ｂが取り付けられる。また、これら偏光膜４４３Ａ２，４４３Ｂ２の偏光軸は、前述の偏光板４４２における偏光膜の偏光軸と直交するように、射出側偏光板４４３Ａ，４４３Ｂは配置される。
また、延出部４４８Ｃの光束入射側の面４４８Ｃ２には、光変調装置４４１Ｒ（４４１Ｇ，４４１Ｂ）を位置決めおよび保持するための棒状部材であるピンスペーサ４４９（図８参照）が、接着固定される。
【００９８】
このような保持部材４４８によれば、第１射出側偏光板４４３Ａおよび第２射出側偏光板４４３Ｂで発生した熱が、該保持部材４４８に伝導され放熱されるので、射出側偏光板４４３の冷却効率を向上できる。
【００９９】
また、保持部材４４８と貼付される第１射出側偏光板４４３Ｂと、延出部４４８Ｃに保持される第２射出側偏光板４４３Ａとの間には、所定の間隔が生じており、また、この空間の幅方向は、保持部材４４８の側面部４４８Ｂによって囲まれることになる。これによれば、第１射出側偏光板４４３Ｂの光束入射面および第２射出側偏光板４４３Ａの光束射出面を冷却する冷却空気の筒状の流路を形成することができる。従って、これら第１射出側偏光板４４３Ｂおよび第２射出側偏光板４４３Ａを効果的に冷却することができる。
【０１００】
なお、保持部材４４８は、アルミニウムのほか、電気亜鉛メッキ鋼板等にて構成してもよく、熱伝導率の高い合成樹脂を用いて射出成形等により成形される合成樹脂成形品や、インバー等の鉄−ニッケル合金、マグネシウム合金、アルミニウム合金等を加工することにより形成するようにしてもよい。
【０１０１】
また、ピンスペーサ４４９は、図８に示すように、合成樹脂によって構成された棒状部材である。このピンスペーサ４４９は、前述のように、保持部材４４８に形成された延出部４４８Ｃの光束入射側の面４４８Ｃ２に取り付けられる。また、このピンスペーサ４４９は、光変調装置４４１Ｒ（４４１Ｇ，４４１Ｂ）に形成された孔４４７Ｂ３に挿通され、該光変調装置４４１を保持する。
なお、ピンスペーサ４４９は、合成樹脂に限らず、光学ガラス、水晶、サファイア、石英、または蛍石等で構成してもよい。また、金属等の熱伝導率の高い部材で構
成してもよい。
【０１０２】
光変調装置４４１Ｒ（４４１Ｇ，４４１Ｂ）は、光変調素子としての液晶パネル４４１
Ｒ１（４４１Ｇ１，４４１Ｂ１）と、この液晶パネル４４１Ｒ１（４４１Ｇ１，４４１Ｂ
１）を光束入射側および光束射出側から挟持する保持枠４４７とを備えている。
【０１０３】
液晶パネル４４１Ｒ１（４４１Ｇ１，４４１Ｂ１）は、ガラスなどからなる一対の透明基板４４１Ｒ１１、４４１Ｒ１２を備える。この一対の透明基板４４１Ｒ１１、４４１Ｒ１２は、シール材（図示省略）を介して所定間隔を空けて貼り合わせられている。
【０１０４】
また、透明基板４４１Ｒ１１、４４１Ｒ１２の内側には、ＴＦＴ素子などのスイッチング素子、ＩＴＯ（Indium Tin Oxide）などの透明導電体からなる画素電極、配線、配向膜などが形成されている。そして、透明基板４４１Ｒ１１、４４１Ｒ１２の内側面には、前記画素電極に対応する対向電極、配向膜などが形成されている。これにより、アクティブマトリクス型の液晶パネルが構成されている。なお、透明基板４４１Ｒ１１の外径寸法は、透明基板４４１Ｒ１２の外径寸法よりも大きく設定されている。
【０１０５】
液晶パネル４４１Ｒ１（４４１Ｇ１，４４１Ｂ１）は、前述のように、入射光束を画像情報に応じて変調するものである。この液晶パネル４４１Ｒ１には、上方（Ｙ軸方向）に延出する制御用ケーブル４４１Ｒ２（４４１Ｇ２，４４１Ｂ２は図６および図７参照）が設けられており、該制御用ケーブル４４１Ｒ２（４４１Ｇ２，４４１Ｂ２）を介して、前述の制御基板５に接続される。
【０１０６】
保持枠４４７は、液晶パネル４４１Ｒ１（４４１Ｇ１，４４１Ｂ１）を光束入射側から
保持する第１保持枠４４７Ａと、光束射出側から保持する第２保持枠４４７Ｂとから構成
されている。
第１保持枠４４７Ａは、照明光軸方向（Ｚ軸方向）から見て略凸型に形成されるとともに、断面略コ字状に形成され、内部に形成された図示しない収納部に、液晶パネル４４１Ｒ１（４４１Ｇ１，４４１Ｂ１）の光束入射側の面を収納する部材である。
この第１保持枠４４７Ａには、略矩形の開口部４４７Ａ１と、フィン４４７Ａ２と、フック４４７Ａ３とが形成されている。
【０１０７】
開口部４４７Ａ１は、第１保持枠４４７Ａの略中央に形成されている。この開口部４４７Ａ１の形成位置は、液晶パネル４４１Ｒ１（４４１Ｇ１，４４１Ｂ１）のパネル面に対応しており、この開口部４４７Ａ１から、液晶パネル４４１Ｒ１（４４１Ｇ１，４４１Ｂ１）が露出する。液晶パネル４４１Ｒ１（４４１Ｇ１，４４１Ｂ１）には、前述の色分離光学系で分離した赤色光（緑色光，青色光）が開口部４４７Ａ１を介して入射されるので、この部分が画像形成領域となる。
【０１０８】
フィン４４７Ａ２は、開口部４４７Ａ１の上方略中央に、該開口部４４７Ａ１から上方に向かって凹状に複数形成されている。このフィン４４７Ａ２は、内部に収納する液晶パネル４４１Ｒ１（４４１Ｇ１，４４１Ｂ１）で発生した熱が、第１保持枠４４７Ａに伝導された際に、空気との接触面積を大きくして、放熱するための部分である。
【０１０９】
フック４４７Ａ３は、第１保持枠４４７Ａの光束入射側の面における幅方向（Ｘ軸方向）両端部から、照明光軸方向（Ｚ軸方向）に起立する面の略中央に形成されている。このフック４４７Ａ３には、略中央に凸型の突出部が形成されており、この突出部が第２保持枠４４７Ｂに形成されたフック嵌合部４４７Ｂ２に嵌合される。
【０１１０】
第２保持枠４４７Ｂは、平面視略矩形状に形成されている。この第２保持枠４４７Ｂには、開口部４４７Ｂ１と、フック嵌合部４４７Ｂ２と、孔４４７Ｂ３とが形成されている。開口部４４７Ｂ１は、第１保持枠４４７Ａと同様に、第２保持枠４４７Ｂの略中央で、光変調装置４４１（４４１Ｇ，４４１Ｂ）の液晶パネル４４１Ｒ１（４４１Ｇ１，４４１
Ｂ１）のパネル面に対応する位置に形成されている。
【０１１１】
フック嵌合部４４７Ｂ２は、第２保持枠４４７Ｂの幅方向（Ｘ軸方向）両端部の略中央部から照明光軸方向（Ｚ軸方向）とは反対方向に起立して形成されている。このフック嵌合部４４７Ｂ２の略中央には、矩形状の開口が形成されており、この開口に前述の第１保持枠４４７Ａのフック４４７Ａ３に形成された突出部が嵌合され、第１保持枠４４７Ａおよび第２保持枠４４７Ｂを固定する。
【０１１２】
孔４４７Ｂ３は、第２保持枠４４７Ｂの照明光軸方向から見て四隅部分に形成されている。これらの孔４４７Ｂ３は、その内周縁が照明光軸方向（Ｚ軸方向）とは反対方向に向けて突出するように形成されたバーリング孔である。これら孔４４７Ｂ３にピンスペーサ４４９が挿通され、位置調整がされた後に、第２保持枠４４７Ｂは、接着剤等によりピンスペーサ４４９に固定される。
【０１１３】
このような光変調装置４４１Ｒにより、液晶パネル４４１Ｒ１（４４１Ｇ１，４４１Ｂ１）で発生した熱が、第１保持枠４４７Ａおよび第２保持枠４４７Ｂから構成される保持枠４４７に伝導される。また、保持枠４４７に伝導された熱は、保持枠４４７で放熱されるとともに、ピンスペーサ４４９を介して保持部材４４８に伝導されて放熱される。これにより、液晶パネル４４１Ｒ１（４４１Ｇ１，４４１Ｂ１）の熱を放熱する面積を拡大することができる。従って、該液晶パネル４４１Ｒ１（４４１Ｇ１，４４１Ｂ１）を効果的に冷却することができ、破損、劣化等を抑えて製品寿命を延ばすことができるとともに、
光学像形成の安定化を図ることができる。
【０１１４】
なお、前述の保持枠４４７は、成形または板金加工により形成できる。また、その材料としては、熱伝導率の高い部材、例えば、インバーおよび４２Ｎｉ−Ｆｅ等のニッケル−鉄合金、マグネシウム合金、アルミニウム合金、炭素鋼、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【０１１５】
また、これらの光学部品を備えた光学装置４４にあっては、光学装置４４を構成する光学部品の線膨脹率の関係を選定することにより、配列される光学部品の相互で当該部品の熱変形がバランス良く吸収され、光変調装置４４１が動いてしまうことによる各色光の画素ずれをより一層効率的に防止することができる。
【０１１６】
具体的には、前記した光学部品について、色合成光学装置であるクロスダイクロイックプリズム４４４、透光性基板４４３Ａ１、保持部材４４８はこの順に線膨張率が大きくなるようにすればよく、また、光変調素子である液晶パネル４４１Ｒ、保持枠４４７はこの順に線膨張率が大きくなるようにすればよい。
【０１１７】
なお、クロスダイクロイックプリズム４４４、透光性基板４４３Ａ１、保持部材４４８、ピンスペーサ４４９、液晶パネル４４１Ｒ１、保持枠４４７の線膨張率は、それぞれ下記の範囲とすることが好ましい。
【０１１８】
［光学部品］                              ［線膨張率（×１０−６／Ｋ）］
クロスダイクロイックプリズム４４４                    ０．１〜１０
透光性基板４４３Ａ１                                  ５〜１５
保持部材４４８                                        １０〜８０
液晶パネル４４１Ｒ１                                  ０．１〜１０
保持枠４４７                                          １０〜８０
【０１１９】
また、光変調装置４４１と保持部材４４８の間に介装される棒状部材であるピンスペーサ４４９は、ヤング率の低い材料を使用すればよく、具体的にはヤング率が保持部材４４８と保持枠４４７のヤング率のいずれか小さい値の１／１０以下であることが好ましい。棒状部材であるピンスペーサ４４９のヤング率が保持部材４４８と保持枠４４７のいずれか小さい値の１／１０以下であることにより、両部材４４７，４４８の線膨張率の差異から生じる温度変化の際の熱歪み、熱応力を緩和することができる。
なお、ピンスペーサ４４９の構成材料として、アクリル樹脂、ポリカーボネート樹脂等を使用するようにすればよい。
【０１２０】
（VII）第１実施形態の効果：
前記した第１実施形態によれば、下記の効果を好適に奏することができる。
すなわち、本実施系他の光学装置４４は、クロスダイクロイックプリズム４４４の各光束入射側端面に接着剤により貼付された３枚の透光性基板４４３Ａ１を接着により保持固定する保持部材４４８に形成されている開口部４４８Ａ１の四隅には、上下に延出する切り込み４４８Ｅが形成され、この切り込み４４８Ｅの先端部分４４８Ｅ１が、保持部材４４８に接着される透光性基板４４３Ａ１の端縁より平面視で外側となる構成を採用しているので、この保持部材４４８の四隅に形成された切り込み４４８Ｅにより、高温時における保持部材４４８の変形を緩和して、接続されている光変調装置４４１が動いてしまうことによる画素ずれを効率よく防止することができる。
【０１２１】
また、この切り込み４４８Ｅの先端部分４４８Ｅ１が、保持部材４４８に接着される透光性基板４４３Ａ１の端縁より平面視で外側となるようにしていることにより、接着面積を一定に管理でき、接着剤の左右方向への飛び出し、回り込みを防止することができる。これにより、温度変化時における両部材間に生じる熱歪み、熱応力を一定に抑えることができ、投写画像の高画質化を図ることができる。
【０１２２】
プロジェクタ１が、前記した構成の光学装置４４を備えているので、各色光の相対的な画素ずれを防止できるとともに、光学装置４４の内部における光学部品の反射や導光を原因とした投写画像への漏れ光の発生を抑制することができ、投写画像の高画質化を図ることができるプロジェクタ１を好適に提供可能とする。
【０１２３】
（VIII）第２実施形態：
次に、本発明の第２実施形態に係る光学装置４４Ｂについて説明する。なお、以下の説明では、既に説明した部分と同一または略同一である部分については、同一の符号を付して説明を省略する。
【０１２４】
図１３は、本発明の第２実施形態に係る光学装置４４Ｂを上方から見た斜視図であり、図１４は、当該光学装置４４Ｂの断面図を示している。また、図１５は、この光学装置４４Ｂに搭載される遮光装置４８０の斜視図を示している。図１３及び図１４に示した本実施形態の光学装置は、前記した第１実施形態の光学装置に対して、図１５に示した遮光装置を搭載したことについて相違する。
なお、図１３では、投写レンズ３を２点鎖線で示している。
【０１２５】
この遮光装置４８０は、板状のアルミニウム合金等を折り曲げ加工して一体的に形成されたものであり、色合成光学装置であるクロスダイクロイックプリズム４４４を光学装置４４Ｂに搭載してプロジェクタ１を構成した場合における光源の照明光軸に対して、投写レンズ３の投射領域の中心軸がずれたあおり方向である天面の方向（図１３のＹ軸方向側：高さ方向）に搭載される。
【０１２６】
図１５に示す遮光装置４８０は、クロスダイクロイックプリズム４４４の天面と接する部分である矩形状の底面部４８１と、この底面部４８１の周縁に形成される２つの矩形状の側面部４８２と、投写方向側に位置する正面部４８３と、当該正面部４８３と反対側に位置する背面部４８４を備える。なお、遮光装置の背面部４８４には、孔４８５が設けられている。
【０１２７】
クロスダイクロイックプリズム４４４の天面方向に対して遮光装置４８０を備えることにより、クロスダイクロイックプリズム４４４のあおり方向における漏れ光を防止することができる。また、投写光学装置である投写レンズ３により拡大投写した光が反射して保持部材４４８(緑：Ｇｒｅｅｎ)に反射し再度投写レンズ３から投写されることがなくなり、これによる画質劣化を好適に防止することができる。また、クロスダイクロイックプリズム４４４に取り込まれて再度投写レンズ３から投写されることがなくなり、これによる画質劣化を好適に防止することができる。
なお、この遮光装置４８０は、光変調装置４４１の温度管理を行ういわゆるサーミスターの機能をも備える。
【０１２８】
また、このような構成の遮光装置４８０とクロスダイクロイックプリズム４４４の天面の方向（あおり方向）に搭載するに際しては、両者を光吸収性接着剤（非反射性接着剤）で接着固定することが好ましい。ここで、光吸収性接着剤（非反射性接着剤）としては
等が挙げられる。このように。遮光装置４８０とクロスダイクロイックプリズム４４４が光吸収性接着剤により接着されていることにより、接着剤自体が反射あるいは導光し、不要光として投写光学装置である投写レンズ３から投影されることが無くなる。また、この遮光装置４８０の接着面となる底面部４８１に向かう光を吸収することができ、遮光装置４８０が照らされて発光してしまうことを防止することができる。なお、図１４では、遮光装置４８０とクロスダイクロイックプリズム４４４との間に接着剤が介在され、接着部４９０が形成されている。
【０１２９】
更には、クロスダイクロイックプリズム４４４のあおり方向に対応する面には遮光処理を施すようにしてもよく、このような構成にすれば、クロスダイクロイックプリズム４４４の天面での反射や投写光学装置からの反射光を吸収でき、あおり方向からの光の侵入や漏れを防止することができ、投写画像の高画質化を図ることができる。ここで、遮光処理としては、前記したような黒塗料を塗布することが挙げられ、黒テープ等でのマスキングでも良い。
【０１３０】
なお、遮光装置４８０を搭載するクロスダイクロイックプリズム４４４については、前記した第１実施形態で使用した互いの直角面が貼り合わされた４つの直角プリズムで構成することができるが、図１６〜図１８に示すような態様のクロスダイクロイックプリズム４４４Ｂ，４４４Ｃを使用してもよい。
【０１３１】
図１６は、第２実施形態におけるクロスダイクロイックプリズムの別の態様を示した斜視図である。このクロスダイクロイックプリズム４４４Ｂは、互いの直角面が貼り合わされた４つの直角プリズム４４４１〜４４４４で構成されることについては通常のクロスダイクロイックプリズムと同様であり、このような構成のクロスダイクロイックプリズム４４４Ｂは、図１６に示されるように、直角プリズム４４４１〜４４４４の貼り合わされた端辺が段差面４４４５とされる。
【０１３２】
一方、図１６に示されるクロスダイクロイックプリズム４４４Ｂは、光束の射出方向（図１６の矢印方向）に対応する位置の端辺である段差面４４４５Ａ，４４４５Ｂに遮光処理が施されている。ここで、遮光処理としては、前記したと同様に、該当端面を黒色塗料で塗布することが挙げられ、艶消し黒色塗装やテープ、板材料等によるマスキングを施すようにすれば良い。
このようにして、クロスダイクロイックプリズム４４４Ｂの段差面４４４５における、光束の射出方向に対応する段差面４４４５Ａ，４４４５Ｂに遮光処理を施すことにより、
反射した光がこの段差面４４４５から直接投写光学装置である投写レンズ３に入って投影光として射出して投写光の画質劣化が起こることを好適に防止することができる。また、反射した光がこの段差面４４４５から光変調装置４４１に取り込まれて、投写光の画質劣化が起こることを好適に防止することができる。
【０１３３】
また、図１７は、第２実施形態におけるクロスダイクロイックプリズムのもう一つの態様を示した斜視図である。このクロスダイクロイックプリズム４４４Ｃは、光束の射出方向（図１７の矢印方向）の射出面におけるあおり方向（図１７のＹ軸方向側：高さ方向）に対応する位置の端辺４４４６に面取り加工が施され、プリズム面取り部４４４６Ｂが形成されている。
このようにあおり方向に対応する位置に面取加工を施せば、遮光処理を施したのと略同等な効果を奏することができる。すなわち、投写光学装置である投写レンズ３により拡大投写した光が反射して、当該端辺４４４６からクロスダイクロイックプリズム４４４Ｃに取り込まれて再度投写レンズ３から投写されることがなくなり、これによる画質劣化を好適に防止することができる。
【０１３４】
図１８は、前記した図１７に示したクロスダイクロイックプリズム４４４Ｃの面取り状態を示した模式図である。このクロスダイクロイックプリズム４４４Ｃのプリズム面取り部４４４６Ｂの面取りの長さｌとしては、０．２〜０．５ｍｍの範囲内とすることが好ましい。面取りの長さｌを０．２〜０．５ｍｍとすれば、前記した効果を効率よく発揮できる一方、面取りの長さｌが０．２ｍｍより短いと、十分な効果が期待できず、面取りの長さｌを０．５ｍｍより長くしても、効果は横ばい状態となり、却ってクロスダイクロイックプリズム４４４Ｃの色合成能に悪影響を与える場合もあるので、面取りの長さｌは０．２〜０．５ｍｍとしておくとよい。
【０１３５】
（IX）第２実施形態の効果：
前記した第２実施形態によれば、第１実施形態のプロジェクタ１が奏する効果に加えて、下記の効果を好適に奏することができる。
本実施形態のプロジェクタ１は、クロスダイクロイックプリズム４４４の天面の方向（あおり方向）に遮光装置４８０を配設することにより、クロスダイクロイックプリズム４４４のかかる方向からの漏れ光を防止することができるとともに、この方向における遮光装置４８０とクロスダイクロイックプリズム４４４とは光吸収性接着剤（粘着剤）により接着されていることにより、接着剤自体が反射するのを防止するとともに、遮光装置４８０の接着面となる底面に向かう光を吸収することができ、遮光装置が照らされて発光してしまうことを防止することができる。
【０１３６】
また、光学部品であるクロスダイクロイックプリズム４４４の光束の射出面における端辺である段差面４４４５Ａ，４４４５Ｂに遮光処理を施したり、光束の射出方向（図１７の矢印方向）の射出面におけるあおり方向に対応する位置の端辺４４４６に面取り加工が施すことにより、投写レンズ３により拡大投写した光が反射して、この段差面４４４５Ａ，４４４５Ｂや端辺４４４６からクロスダイクロイックプリズム４４４Ｃに取り込まれて再度投写レンズ３から投写されることがなくなるため、これによる画質劣化を好適に防止し、投写画像の高画質化を実施可能なプロジェクタ１を提供することができる。
【０１３７】
（Ｘ）実施形態の変形：
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【０１３８】
例えば、前記した第２実施形態において、図１７に示したクロスダイクロイックプリズムは、その段差面におけるあおり方向に対応する位置の端辺４４４６に面取り加工が施した態様を示したが、当該端辺４４４６に対して遮光処理を施すことによっても、略同等の効果を奏することができる。
【０１３９】
また、前記した第２実施形態において、図１６及び図１７に示したクロスダイクロイックプリズム４４４Ｂ，４４４Ｃは、第１実施形態で示した光学装置やプロジェクタに適用するようにしても問題はない。
【０１４０】
前記した第２実施形態にあっては、遮光装置４８０の形状として、矩形状の底面部４８１と、この底面部の周縁に形成される２つの矩形状の側面部４８２と、投写方向側に位置する正面部４８３と、当該正面部と反対側に位置する背面部４４４を備えた態様を示したが、遮光装置４８０の形状はこれには限定されず、クロスダイクロイックプリズム４４４を遮光するための任意の形状を適宜決定することができる。
【０１４１】
前記各実施形態では、３つの光変調装置４４１Ｒ，４４１Ｇ，４４１Ｂを用いたプロジェクタの例のみを挙げたが、４つ以上の光変調装置を用いたプロジェクタにも適用可能である。
また、前記各実施形態では、光変調装置４４１（４４１Ｒ，４４１Ｇ，４４１Ｂ）は、光変調素子として液晶パネル４４１Ｒ１，４４１Ｇ１，４４１Ｂ１を用いたが、マイクロミラーを用いたデバイスなど、液晶以外の光変調素子を用いてもよい。
さらに、前記各実施形態では、液晶パネルに、光入射面と光射出面とが異なる透過型の液晶パネルを用いていたが、光入射面と光射出面とが同一となる反射型の液晶パネルを用いてもよい。
加えて、前記各実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１４２】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１４３】
本発明の光学装置及びプロジェクタは、例えば、会議、学会、展示会等でのマルチメディアプレゼンテーションに適用される光学装置及びプロジェクタとして多目的に利用することができる。
【図面の簡単な説明】
【０１４４】
【図１】本発明の第１実施形態に係るプロジェクタを上方から見た斜視図。
【図２】前記実施形態におけるプロジェクタを下方から見た斜視図。
【図３】前記実施形態におけるプロジェクタの内部構成を表す斜視図。
【図４】前記実施形態におけるプロジェクタの内部構成を表す斜視図。
【図５】前記実施形態におけるプロジェクタの光学系の構造を表す模式図。
【図６】前記実施形態における光学装置を上方から見た斜視図。
【図７】前記実施形態における光学装置を下方から見た斜視図。
【図８】前記実施形態における光学装置の構造を示す分解斜視図。
【図９】前記実施形態における保持部材を光束射出側から見た斜視図。
【図１０】前記実施形態における保持部材を光束入射側から見た斜視図。
【図１１】前記実施形態における色合成光学装置に第２射出側偏光板と保持部材を接着剤により固定した状態を示した斜視図。
【図１２】前記実施形態における第２射出側偏光板を構成する基板と保持部材との接着状態を示した部分断面図。
【図１３】本発明の第２実施形態に係る光学装置を上方から見た斜視図。
【図１４】前記実施形態における光学装置の断面図。
【図１５】前記実施形態における遮光装置の斜視図。
【図１６】前記実施形態におけるクロスダイクロイックプリズムの他の態様を示した斜視図。
【図１７】前記実施形態におけるクロスダイクロイックプリズムのもう一つの態様を示した斜視図。
【図１８】図１７に示したクロスダイクロイックプリズムの面取り状態を示した模式図。
【符号の説明】
【０１４５】
１…プロジェクタ、３…投写レンズ（投写光学装置）、４…光学ユニット、４４…光学装置、４１１…光源装置、４４１（４４１Ｒ，４４１Ｇ，４４１Ｂ）…光変調装置、４４１Ｒ１，４４１Ｇ１，４４１Ｂ１…液晶パネル（光変調素子）、４４２…入射側偏光板（光学素子）、４４３…射出側偏光板、４４３Ａ…第２射出側偏光板、４４３Ａ１…水晶基板、４４３Ａ２…偏光膜（第２射出側偏光素子：光学素子）、４４３Ｂ…第１射出側偏光板、４４３Ｂ１…水晶基板、４４３Ｂ２…偏光膜（第１射出側偏光素子：光学素子）、４４３Ｂ３…視野角補償膜（視野角補償素子）、４４４，４４４Ｂ，４４４Ｃ…クロスダイクロイックプリズム、４４８…保持部材、４４８Ｅ…切り込み、４４４Ｅ１…先端部分、４４８Ｇ…凹部、４４８Ｈ…切り欠き、４４８Ｉ…面取り部、４４９…ピンスペーサ（棒状部材）４８０…遮光装置、４４４５，４４４５Ａ，４４４５Ｂ…段差面、４４４６…端辺、４４４６…面取り部
【図１】
2006106364.tif 000003
【図２】
2006106364.tif 000004
【図３】
2006106364.tif 000005
【図４】
2006106364.tif 000006
【図５】
2006106364.tif 000007
【図６】
2006106364.tif 000008
【図７】
2006106364.tif 000009
【図８】
2006106364.tif 000010
【図９】
2006106364.tif 000011
【図１０】
2006106364.tif 000012
【図１１】
2006106364.tif 000013
【図１２】
2006106364.tif 000014
【図１３】
2006106364.tif 000015
【図１４】
2006106364.tif 000016
【図１５】
2006106364.tif 000017
【図１６】
2006106364.tif 000018
【図１７】
2006106364.tif 000019
【図１８】
2006106364.tif 000020